(57)【要約】【課題】  試聴・広告用ファイルおよびＷＥＢ画面用ジャケット写真を作製する際の労力およびコストを軽減し、コンテンツファイル配信サービスを効率よく行なう。【解決手段】  配信する目的でアップロードされたマルチメディア型データファイルから、再生区間情報および管理情報を取得する取得部（１１）と、アップロードされたマルチメディア型データファイルを構成する音声データファイルから、取得した再生区間情報に対応する音声データを抽出する抽出部（１２）と、取得した管理情報と抽出した音声データとを結合して配信用データファイルとして記憶する記憶部（１３）と、クライアント装置から、配信用データファイルを配信するリクエスト信号を受信したときに、配信用データファイルをクライアント装置へ配信する配信部（１４）と、を備える。【選択図】  図２
2006189487.tif 000002
【特許請求の範囲】
【請求項１】
音声データファイル、静止画像データファイル若しくは動画像データファイルまたはこれらの組み合わせから構成され、再生区間情報および管理情報を含むマルチメディア型データファイルに基づいて、試聴用データファイルを自動作成するサーバ装置であって、
配信する目的でアップロードされた前記マルチメディア型データファイルから、前記再生区間情報および管理情報を取得する取得部と、
前記アップロードされたマルチメディア型データファイルを構成する音声データファイルから、前記取得した再生区間情報に対応する音声データを抽出する抽出部と、
前記取得した管理情報と前記抽出した音声データとを結合して配信用データファイルとして記憶する記憶部と、
クライアント装置から、前記配信用データファイルを配信するリクエスト信号を受信したときに、前記配信用データファイルを前記クライアント装置へ配信する配信部と、を備えることを特徴とするサーバ装置。
【請求項２】
前記記憶部が記憶している少なくとも一つの配信用データファイルの管理情報に含まれるタイトルに基づいて仮想的なリストを作成すると共に、前記リスト中に、クライアント装置から受信したリクエスト信号に応じて前記配信用データファイルの配信を実行する信号を発生する配信信号発生領域を形成するリスト作成部を更に備えることを特徴とする請求項１記載のサーバ装置。
【請求項３】
前記リスト作成部は、前記リスト中のタイトルの近傍に、そのタイトルに対応する前記アップロードされたマルチメディア型データファイルに含まれている動画データまたは静止画データを抽出して追加することを特徴とする請求項２記載のサーバ装置。
【請求項４】
請求項２または請求項３記載のサーバ装置とデータの送受信を行なう携帯端末装置であって、
前記サーバ装置において作成されたリストに関するデータを画面に表示する表示部と、
前記表示したリスト中のいずれかの配信信号発生領域を選択する選択部と、
前記選択された配信信号発生領域に対応するタイトルの配信用データファイルをリクエストする旨のリクエスト信号を出力するリクエスト信号出力部と、を備えることを特徴とする携帯端末装置。
【請求項５】
音声データファイル、静止画像データファイル若しくは動画像データファイルまたはこれらの組み合わせから構成され、再生区間情報および管理情報を含むマルチメディア型データファイルに基づいて、サーバ装置が試聴用データファイルを自動作成するプログラムであって、
配信する目的でアップロードされた前記マルチメディア型データファイルから、前記再生区間情報および管理情報を取得する処理と、
前記アップロードされたマルチメディア型データファイルを構成する音声データファイルから、前記取得した再生区間情報に対応する音声データを抽出する処理と、
前記取得した管理情報と前記抽出した音声データとを結合して配信用データファイルとして記憶する処理と、
クライアント装置から、前記配信用データファイルを配信するリクエスト信号を受信したときに、前記配信用データファイルを前記クライアント装置へ配信する処理と、を含む一連の処理をコンピュータが実行し得る命令群として構成したことを特徴とするプログラム。
【発明の詳細な説明】
【技術分野】
【０００１】
本発明は、配信する目的でアップロードされたマルチメディア型データファイルに基づいて、試聴用データファイルを自動作成するサーバ装置、携帯端末装置およびプログラムに関する。
【背景技術】
【０００２】
従来から、通信ネットワークを介して音楽データ等を含むコンテンツファイルを配信するサービスが知られている。このようなサービスでは、販売の対象であるコンテンツファイルをサーバへアップロードすることによりユーザに提供している。また、このコンテンツファイルを選択する際のユーザの便宜を図るため、試聴・広告用ファイルをサーバへアップロードしている。この試聴・広告用ファイルは、そのコンテンツファイルの一部のデータから構成されている。
【０００３】
例えば、特開２００１−０４２８６６号公報には、以下のように構成されたコンテンツ提供方法が開示されている。すなわち、このコンテンツ提供方法は、音楽を含むコンテンツを、ネットワークを介して提供するために、サーバ側のコンピュータにおいて実行するためのプログラムを記録媒体に記憶する。上記記録媒体に記憶する前記プログラムは、楽曲の演奏情報とそれに関連する音声情報とを少なくとも含む提供用コンテンツを提供するものであって、前記音声情報には少なくとも楽曲の一部をなす曲中音声情報と楽曲についての解説音声情報と、が含まれている。
【０００４】
また、このコンテンツ提供方法は、前記提供用コンテンツの一部サンプルを含む試用コンテンツを提供するものであって、前記試用コンテンツには少なくとも前記演奏情報の一部分のサンプルとこの部分に対応する前記曲中音声情報のサンプルとが含まれている。また、クライアントからの試用要求に応じて要求された前記試用コンテンツを、ネットワークを介して前記クライアントに配信する。また、クライアントからの取得要求に応じて要求された前記提供用コンテンツを、ネットワークを介して前記クライアントに配信する。
【特許文献１】特開２００１−０４２８６６号公報
【発明の開示】
【発明が解決しようとする課題】
【０００５】
しかしながら、上記のような試聴・広告用ファイルの作製は、コンテンツファイルの作製とは独立して行なわれているため、試聴・広告用ファイルを作製するための労力やコストがかかっている。また、ＷＥＢ画面に表示させるためのコンテンツファイルのジャケット写真を作製する場合にも同様な労力やコストがかかっている。
【０００６】
また、上記の特開２００１−０４２８６６号公報に開示されているコンテンツ提供方法では、試用コンテンツを作成する方法として、楽曲のディジタル演奏情報と該楽曲に含まれる音声情報（歌唱音声又はコーラス音声）の両方を考慮して楽曲を特徴づける切り出し範囲（例えばさびの部分）を自動的に決定するが、再生開始および終了に関する情報を含む音声データに基づいて、その音声データから試聴用ファイルの自動生成を行なうことは不可能である。現代のように、再生開始および終了に関する情報が付された音声データが広く使用されるようになっている状況下では、この情報に基づいて試聴・広告用ファイルを自動的に作製する技術が望まれている。
【０００７】
本発明は、このような事情に鑑みてなされたものであり、試聴・広告用ファイルおよびＷＥＢ画面用ジャケット写真を作製する際の労力およびコストを軽減し、コンテンツファイル配信サービスを効率よく行なうことを可能とするサーバ装置、携帯端末装置およびプログラムを提供することを目的とする。
【課題を解決するための手段】
【０００８】
（１）上記の目的を達成するため、本発明は、以下のような手段を講じた。すなわち、本発明に係るサーバ装置は、音声データファイル、静止画像データファイル若しくは動画像データファイルまたはこれらの組み合わせから構成され、再生区間情報および管理情報を含むマルチメディア型データファイルに基づいて、試聴用データファイルを自動作成するサーバ装置であって、配信する目的でアップロードされた前記マルチメディア型データファイルから、前記再生区間情報および管理情報を取得する取得部と、前記アップロードされたマルチメディア型データファイルを構成する音声データファイルから、前記取得した再生区間情報に対応する音声データを抽出する抽出部と、前記取得した管理情報と前記抽出した音声データとを結合して配信用データファイルとして記憶する記憶部と、クライアント装置から、前記配信用データファイルを配信するリクエスト信号を受信したときに、前記配信用データファイルを前記クライアント装置へ配信する配信部と、を備えることを特徴としている。
【０００９】
このように、アップロードされたマルチメディア型データファイルから、取得した再生区間情報に対応する音声データを抽出し、取得した管理情報と抽出した音声データとを結合して配信用データファイルとして記憶するので、音楽配信等マルチメディア系コンテンツが多く含まれるＷＥＢサイトの作成・運営をシステム化することができ、試聴・広告用ファイルおよびＷＥＢ画面用ジャケット写真を作製する際の労力およびコストを低減させることが可能となる。これにより、コンテンツファイル配信サービスを効率よく行なうことができる。そして、その結果、コンテンツ作成者は、本来重要であるマーケティング的な業務やＷＥＢサイトデザインにより注力することができ、トータルで販売アイテム数を増やすことができ、本ビジネスの展開を拡大することが期待できる。
【００１０】
（２）また、本発明に係るサーバ装置は、前記記憶部が記憶している少なくとも一つの配信用データファイルの管理情報に含まれるタイトルに基づいて仮想的なリストを作成すると共に、前記リスト中に、クライアント装置から受信したリクエスト信号に応じて前記配信用データファイルの配信を実行する信号を発生する配信信号発生領域を形成するリスト作成部を更に備えることを特徴としている。
【００１１】
このように、記憶部が記憶している少なくとも一つの配信用データファイルの管理情報に含まれるタイトルを用いて仮想的なリストを作成するので、これを端末装置側で表示させることによって、ユーザに対して配信目的でアープロードされたマルチメディア型データファイルを選択し易くさせることができる。また、リスト中に、リクエスト信号の入力に応じて配信用データの配信を実行する契機となる信号を発生する配信信号発生領域を形成するので、リストからいずれかの配信信号発生領域を選択することによって、配信用データファイルの配信を実行させることができるので、ユーザによる操作を簡便に行なうことが可能となる。その結果、ユーザによる配信用データの利用頻度を向上させることが可能となる。
【００１２】
（３）また、本発明に係るサーバ装置は、前記リスト作成部は、前記リスト中のタイトルの近傍に、そのタイトルに対応する前記アップロードされたマルチメディア型データファイルに含まれている動画データまたは静止画データを抽出して追加することを特徴としている。
【００１３】
このように、リスト中のタイトルの近傍に、そのタイトルに対応する動画データまたは静止画データが追加されるので、ユーザに対して、配信用データの内容を視覚的に伝えることができ、配信用データを選択し易くさせることが可能となる。その結果、ユーザによる配信用データの利用頻度を向上させることが可能となる。
【００１４】
（４）また、本発明に係る携帯端末装置は、上記いずれかのサーバ装置とデータの送受信を行なう携帯端末装置であって、前記サーバ装置において作成されたリストに関するデータを画面に表示する表示部と、前記表示したリスト中のいずれかの配信信号発生領域を選択する選択部と、前記選択された配信信号発生領域に対応するタイトルの配信用データをリクエストする旨のリクエスト信号を出力するリクエスト信号出力部と、を備えることを特徴としている。
【００１５】
このように、サーバ装置において作成されたリストに関するデータが画面に表示されるので、ユーザに対して配信用データの選択を容易にさせることができる。また、ユーザの選択操作を契機として選択された配信信号発生領域に対応するタイトルの配信用データをリクエストする旨のリクエスト信号を前記サーバ装置へ出力するので、配信要求を容易に行なうことができる。その結果、ユーザによる操作が簡便化し、ユーザによる配信用データの利用頻度を向上させることが可能となる。
【００１６】
（５）また、本発明に係るプログラムは、音声データファイル、静止画像データファイル若しくは動画像データファイルまたはこれらの組み合わせから構成され、再生区間情報および管理情報を含むマルチメディア型データファイルに基づいて、サーバ装置が試聴用データファイルを自動作成するプログラムであって、配信する目的でアップロードされた前記マルチメディア型データファイルから、前記再生区間情報および管理情報を取得する処理と、前記アップロードされたマルチメディア型データファイルを構成する音声データファイルから、前記取得した再生区間情報に対応する音声データを抽出する処理と、前記取得した管理情報と前記抽出した音声データとを結合して配信用データファイルとして記憶する処理と、クライアント装置から、前記配信用データファイルを配信するリクエスト信号を受信したときに、前記配信用データファイルを前記クライアント装置へ配信する処理と、を含む一連の処理をコンピュータが実行し得る命令群として構成したことを特徴としている。
【００１７】
このように、アップロードされたマルチメディア型データファイルから、取得した再生区間情報に対応する音声データを抽出し、取得した管理情報と抽出した音声データとを結合して配信用データファイルとして記憶するので、音楽配信等マルチメディア系コンテンツが多く含まれるＷＥＢサイトの作成・運営をシステム化することができ、試聴・広告用ファイルおよびＷＥＢ画面用ジャケット写真を作製する際の労力およびコストを低減させることが可能となる。これにより、コンテンツファイル配信サービスを効率よく行なうことができる。そして、その結果、コンテンツ作成者は、本来重要であるマーケティング的な業務やＷＥＢサイトデザインにより注力することができ、トータルで販売アイテム数を増やすことができ、本ビジネスの展開を拡大することが期待できる。
【発明の効果】
【００１８】
本発明に係るサーバ装置によれば、アップロードされたマルチメディア型データファイルから、取得した再生区間情報に対応する音声データを抽出し、取得した管理情報と抽出した音声データとを結合して配信用データファイルとして記憶するので、音楽配信等マルチメディア系コンテンツが多く含まれるＷＥＢサイトの作成・運営をシステム化することができ、試聴・広告用ファイルおよびＷＥＢ画面用ジャケット写真を作製する際の労力およびコストを低減させることが可能となる。これにより、コンテンツファイル配信サービスを効率よく行なうことができる。そして、その結果、コンテンツ作成者は、本来重要であるマーケティング的な業務やＷＥＢサイトデザインにより注力することができ、トータルで販売アイテム数を増やすことができ、本ビジネスの展開を拡大することが期待できる。
【００１９】
また、記憶部が記憶している管理情報に含まれる配信用データファイルのタイトルを用いてリストを作成するので、ユーザに対して配信目的でアープロードされたマルチメディア型データファイルを選択し易くさせることができる。また、リスト中に、リクエスト信号の入力に応じて配信用データの配信を実行する契機となる信号を発生する配信信号発生領域を形成するので、リストからいずれかの配信信号発生領域を選択することによって、配信用データファイルの配信を実行させることができるので、ユーザによる操作を簡便に行なうことが可能となる。その結果、ユーザによる配信用データの利用頻度を向上させることが可能となる。
【００２０】
また、リスト中のタイトルの近傍に、そのタイトルに対応する動画データまたは静止画データが抽出して追加されるので、ユーザに対して、配信用データの内容を視覚的に伝えることができ、配信用データを選択し易くさせることが可能となる。その結果、ユーザによる配信用データの利用頻度を向上させることが可能となる。
【００２１】
また、本発明に係る携帯端末装置によれば、サーバ装置において作成されたリストに関するデータが画面に表示されるので、ユーザに対して配信用データの選択を容易にさせることができる。また、ユーザの選択操作を契機として選択された配信信号発生領域に対応するタイトルの配信用データをリクエストする旨のリクエスト信号を前記サーバ装置へ出力するので、配信要求を容易に行なうことができる。その結果、ユーザによる操作が簡便化し、ユーザによる配信用データの利用頻度を向上させることが可能となる。
【００２２】
また、本発明に係るプログラムによれば、アップロードされたマルチメディア型データファイルから、取得した再生区間情報に対応する音声データを抽出し、取得した管理情報と抽出した音声データとを結合して配信用データファイルとして記憶するので、音楽配信等マルチメディア系コンテンツが多く含まれるＷＥＢサイトの作成・運営をシステム化することができ、試聴・広告用ファイルおよびＷＥＢ画面用ジャケット写真を作製する際の労力およびコストを低減させることが可能となる。これにより、コンテンツファイル配信サービスを効率よく行なうことができる。そして、その結果、コンテンツ作成者は、本来重要であるマーケティング的な業務やＷＥＢサイトデザインにより注力することができ、トータルで販売アイテム数を増やすことができ、本ビジネスの展開を拡大することが期待できる。
【発明を実施するための最良の形態】
【００２３】
本実施の形態に係るサーバ装置は、配信する目的でアップロードされたマルチメディア型データファイルから、再生区間情報および管理情報を取得し、アップロードされたマルチメディア型データファイルを構成する音声データファイルから、取得した再生区間情報に対応する音声データを抽出する。そして、取得した管理情報と抽出した音声データとを結合して配信用データファイルとして記憶する。クライアント装置から、配信用データファイルを配信するリクエスト信号を受信したときに、配信用データファイルをクライアント装置へ配信する。
【００２４】
図１は、本実施の形態に係るマルチメディア型データファイルの配信システムの概略を示す図である。サーバ装置１０は、通信ネットワーク２０を介して、携帯端末装置３０、およびパーソナルコンピュータ５０と接続される。クライアント装置としてのパーソナルコンピュータ５０からマルチメディア型データファイルがサーバ装置１０へアップロードされる。そして、携帯端末装置３０は、アップロードされたマルチメディア型データファイルまたはその一部をダウンロードする。
【００２５】
ここで、マルチメディア型データファイルとは、音声データファイル、静止画像データファイル若しくは動画像データファイルまたはこれらの組み合わせから構成されたデータファイルのことをいう。このマルチメディア型データファイルには、再生の開始から終了を定める再生区間情報が予め付されているものとする。
【００２６】
図２は、本実施の形態に係るサーバ装置の概略構成を示すブロック図である。サーバ装置１０は、取得部１１において、配信する目的でアップロードされたマルチメディア型データファイルから、再生区間情報および管理情報を取得する。また、抽出部１２において、アップロードされたマルチメディア型データファイルを構成する音声データファイルから、取得部１１が取得した再生区間情報に対応する音声データを抽出し、記憶部１３において、上記取得した管理情報と、上記抽出した音声データとを結合して、配信用データファイルとして記憶する。サーバ側送受信部１４は、クライアント装置から配信することを目的として送信されたマルチメディア型データファイルを受信する一方、クライアント装置から、記憶部１３に記憶されている配信用データファイルを配信するリクエスト信号を受信したときに、配信用データファイルをクライアント装置へ配信する。
【００２７】
リスト作成部１５は、記憶部１３が記憶している管理情報に含まれる配信用データファイルのタイトルを用いて仮想的なリストを作成すると共に、そのリスト中に、クライアント装置からのリクエスト信号を受信したときに配信用データファイルの配信を実行する契機となる信号を発生する配信信号発生領域を形成する。この配信信号発生領域に、例えば、リンクを張ることによって、配信用データファイルの配信が行なわれるきっかけとなる信号を発生させる。また、リスト作成部１５は、上記リスト中のタイトルの近傍に、そのタイトルに対応するマルチメディア型データファイルに含まれている動画データまたは静止画データを抽出して追加する機能を発揮する。
【００２８】
図３は、本実施の形態に係る携帯端末装置の概略構成を示すブロック図である。携帯端末装置３０は、端末側送受信部３１において、サーバ装置１０において作成された仮想的なリストのデータ（リストに関するデータ）を受信する。表示部３２は、上記受信したリストに関するデータを画面に表示する。選択部３３は、ユーザの選択操作を契機として、表示部３２に表示されたリスト中のいずれかの配信信号発生領域を選択する。リクエスト信号出力部３４は、上記のように選択された配信信号発生領域に対応するタイトルの配信用データファイルをリクエストする旨のリクエスト信号を出力する。
【００２９】
図４（ａ）は、配信することを目的としてアップロードされたマルチメディア型データファイルの構造を示す図である。ここでは、マルチメディア型データファイルとして、音楽配信データファイルを例にとって説明する。図４（ａ）に示すように、このアップロード用ファイル４０は、内部のデータ構成等の情報、曲名およびアーティスト名などの管理情報が含まれるヘッダ情報４１と、音楽データファイル４２と、画像データファイル４３と、から構成されている。音楽データファイル４２は、「サビ」区間情報等の再生区間情報および再生回数などを制限するディジタル著作権管理（ＤＲＭ）のための情報などの管理情報が含まれるヘッダ情報４２ａと、音楽データ４２ｂとから構成される。また、画像データファイル４３は、画像の種類や大きさ等の情報が含まれるヘッダ情報４３ａと、動画または静止画である画像データ４３ｂとから構成される。
【００３０】
音楽データファイル４２に含まれるヘッダ情報４２ａには、たとえば、図４（ｂ）に示すように再生区間情報が含まれている。図４（ｂ）中、矢印ｔは、時間の経過を示す。図４（ｂ）に示すように、音楽データが丸１〜丸５の区間に区切られているとすると、各再生区間は、各区間の最初の時間と最後の時間とで特定することができる。このような時間情報に基づいて再生区間情報を定めることができる。また、いずれかの区間が「サビ」であることを示す情報を含んでもよい。また、再生区間は、音楽データ内に少なくとも一つ存在すればよい。なお、時間情報以外にも、データ量で再生区間を定めることも可能である。
【００３１】
次に、本実施の形態に係るマルチメディア型データファイルの配信システムの動作について、図５を参照して説明する。まず、クライアント装置としてのパーソナルコンピュータなどから（図１に示すＰＣ５０）マルチメディア型データファイルとしてのアップロード用ファイルがサーバ装置１０へアップロードされる（ステップＳ１）。サーバ装置１０では、このアップロードされたアップロード用ファイルのヘッダ情報、すなわち、図４（ａ）に示すヘッダ情報４１から、曲名、アーティスト名などの管理情報を取得すると共に、図４（ａ）に示すヘッダ情報４２ａから、「サビ」区間情報等の再生区間情報および再生回数などを制限するディジタル著作権管理（ＤＲＭ）のための情報などの管理情報を取得する（ステップＳ２）。
【００３２】
次に、サーバ装置１０は、取得した「サビ」区間に対応する音楽データを抽出する（ステップＳ３）。そして、ステップＳ３において抽出した音楽データと、曲名、アーティスト名、権利者情報などの管理情報とを結合させて配信用データファイル、すなわち、試聴用ファイルとして記憶部で記憶する（ステップＳ４）。
【００３３】
なお、この試聴用ファイルには、音声のみならず動画や静止画が含まれていても良い。すなわち、ステップＳ３において、音楽データのみならず、画像データを抽出してもよい。アップロードされたマルチメディア型データファイルに、動画や静止画が含まれている場合には、その画像データの一部を抽出し、試聴用ファイルとしてもよい。
【００３４】
このような試聴用ファイルは、例えば、図６に示すような構成を採る。図６に示すように、試聴用ファイル６０は、音楽データ６１、画像データ６２、およびヘッダ情報６３から構成される。ヘッダ情報６３は、曲名、アーティスト名、権利者情報などの管理情報から構成されている。
【００３５】
次に、サーバ装置１０では、少なくとも一つの配信用データファイルが記憶されている場合に、リストを作成する（ステップＳ５）。このリストは、サーバ装置１０において作成された試聴用ファイル、アップロードされたマルチメディア型データファイルに含まれるジャケット写真のサムネイル画像、曲名、アーティスト名、権利者情報などの管理情報を用いて、ユーザ向けのＷＥＢコンテンツとして生成される。例えば、図７に示すようなリストが作成される。このようにリストを作成するので、ユーザに対して配信目的でアープロードされたマルチメディア型データファイルを選択し易くさせることができる。図７に示すように、リスト中には、音楽データのタイトル７１ａや権利者情報７１ｂなどの管理情報、その音楽データのジャケット写真のサムネイル形式の画像データ７２、および試聴ボタン７３が含まれる。このように、リスト中のタイトルの近傍に、そのタイトルに対応する動画データまたは静止画データが抽出して追加されるので、ユーザに対して、配信用データファイルの内容を視覚的に伝えることができ、配信用データファイルを選択し易くさせることが可能となる。その結果、ユーザによる配信用データファイルの利用頻度を向上させることが可能となる。
【００３６】
試聴ボタン７３は、配信信号発生領域として機能し、ユーザがこのボタンを選択すると、その試聴用ファイルがダウンロードされる。このように、リスト中に、リクエスト信号を受信したときに配信用データファイルの配信を実行する契機となる信号を発生する試聴ボタン７３を形成するので、リストからいずれかの試聴ボタン７３を選択することによって、配信用データファイルの配信を実行させることができるので、ユーザによる操作を簡便に行なうことが可能となる。その結果、ユーザによる配信用データファイルの利用頻度を向上させることが可能となる。
【００３７】
次に、クライアント装置としての携帯端末装置からＷＥＢコンテンツとしてのリスト情報のダウンロード要求がなされると（ステップＳ６）、サーバ装置１０は、携帯端末装置３０に対してリスト情報を配信する（ステップＳ７）。携帯端末装置３０では、リスト情報を受信すると（ステップＳ８）、受信したリスト情報を画面に表示する（ステップＳ９）。画面には、図７に示すような画像が表示される。このように、サーバ装置において作成されたリストに関するデータが画面に表示されるので、ユーザに対して配信用データファイルの選択を容易にさせることができる。また、ユーザの選択操作を契機として選択された配信信号発生領域に対応するタイトルの配信用データファイルをリクエストする旨のリクエスト信号を前記サーバ装置へ出力するので、配信要求を容易に行なうことができる。その結果、ユーザによる操作が簡便化し、ユーザによる配信用データファイルの利用頻度を向上させることが可能となる。
【００３８】
次に、ユーザがリスト中のいずれかの試聴ボタン７３を選択すると、サーバ装置１０に対してリクエスト信号が送信される（ステップＳ１１）。サーバ装置１０では、携帯端末装置３０からリクエスト信号を受信すると、そのリクエスト信号に対応する試聴用ファイル（配信用データファイル）を配信する（ステップＳ１２）。なお、携帯端末装置３０では、試聴用ファイルを受信すると、アップロードされた音楽配信データファイルの一部が試聴可能となる。
【００３９】
なお、以上の説明では、マルチメディア型データファイルがサーバ装置にアップロードされたときに、配信用データファイル（試聴用ファイル）を作成する例を示したが、クライアント装置としての携帯端末装置から配信用データファイルのリクエスト信号を受信したときに試聴用ファイルを自動作成する構成を採ることもできる。この場合、リストの作成は、アップロードされたマルチメディア型データファイルからタイトルや画像データを抽出することにより行なうことができる。
【００４０】
以上のような本発明の特徴的な動作は、プログラムを実行することによって行なわれる。すなわち、このプログラムは、音声データファイル、静止画像データファイル若しくは動画像データファイルまたはこれらの組み合わせから構成され、再生区間情報および管理情報を含むマルチメディア型データファイルに基づいて、サーバ装置が試聴用データファイルを自動作成するプログラムであって、配信する目的でアップロードされた前記マルチメディア型データファイルから、前記再生区間情報および管理情報を取得する処理と、前記アップロードされたマルチメディア型データファイルを構成する音声データファイルから、前記取得した再生区間情報に対応する音声データを抽出する処理と、前記取得した管理情報と前記抽出した音声データとを結合して配信用データファイルとして記憶する処理と、クライアント装置から、前記配信用データファイルを配信するリクエスト信号を受信したときに、前記配信用データファイルを前記クライアント装置へ配信する処理と、を含む一連の処理をコンピュータが実行し得る命令群として構成されている。
【００４１】
このプログラムは、ＣＤ−ＲＯＭやＤＶＤ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。
【００４２】
以上説明したように、本実施の形態に係るサーバ装置によれば、アップロードされたマルチメディア型データファイルから、取得した再生区間情報に対応するマルチメディア型データファイルを抽出し、管理情報と共に、抽出したマルチメディア型データファイルを配信用データファイルとして記憶するので、音楽配信等マルチメディア系コンテンツが多く含まれるＷＥＢサイトの作成・運営をシステム化することができ、試聴・広告用ファイルおよびＷＥＢ画面用ジャケット写真を作製する際の労力およびコストを低減させることが可能となる。これにより、コンテンツファイル配信サービスを効率よく行なうことができる。そして、その結果、コンテンツ作成者は、本来重要であるマーケティング的な業務やＷＥＢサイトデザインにより注力することができ、トータルで販売アイテム数を増やすことができ、本ビジネスの展開を拡大することが期待できる。
【図面の簡単な説明】
【００４３】
【図１】本実施の形態に係るマルチメディア型データファイルの配信システムの概略構成を示す図である。
【図２】本実施の形態に係るサーバ装置の概略構成を示すブロック図である。
【図３】本実施の形態に係る携帯端末装置の概略構成を示すブロック図である。
【図４】（ａ）音楽配信データファイルの構成例を示す図である。（ｂ）音楽データにおける再生区間を示す図である。
【図５】本実施の形態に係るマルチメディア型データファイルの配信システムの動作を示すフローチャートである。
【図６】試聴用ファイルの構成例を示す図である。
【図７】サーバ装置において作成されたリストの例を示す図である。
【符号の説明】
【００４４】
１０  サーバ装置
１１  取得部
１２  抽出部
１３  記憶部
１４  サーバ側送受信部
１５  リスト作成部
２０  通信ネットワーク
３０  携帯端末装置
３１  端末側送受信部
３２  表示部
３３  選択部
３４  リクエスト信号出力部
４０  アップロード用ファイル
４１  ヘッダ情報
４２  音楽データファイル
４２ａ  ヘッダ情報
４２ｂ  音楽データ
４３  画像データファイル
４３ａ  ヘッダ情報
４３ｂ  画像データ
５０  パーソナルコンピュータ
６０  試聴用ファイル
６１  音楽データ
６２  画像データ
６３  ヘッダ情報
【図１】
2006189487.tif 000003
【図２】
2006189487.tif 000004
【図３】
2006189487.tif 000005
【図４】
2006189487.tif 000006
【図５】
2006189487.tif 000007
【図６】
2006189487.tif 000008
【図７】
2006189487.tif 000009